(57)【特許請求の範囲】
【請求項１】
支柱上端に、帯状の基板のく字状に約４５度曲げられ、この部分に表示器が配置されている後端部側を取り付け、基板の先端部側にホース処理装置を配置し、表示器とホース処理装置との間には、下方の給油エリアを照らす照明が設けられ、敷地の両端部に植設された支柱間には補強ワイヤが張られ、基板の先端部側をこの補強ワイヤに接続し、前記ホース処理装置からは複数油種の給油ホースが昇降自在に吊下され、各給油ホースは支柱内に配設された給油管に接続されていることを特徴とした懸垂式給油装置。
【発明の詳細な説明】
【０００１】
【発明の属する技術分野】
本発明は、敷地の上方に給油ホースを吊下した懸垂式給油装置に関するものである。
【０００２】
【従来の技術】
敷地の上方に給油ホースを吊下した懸垂式給油装置は、多数の形態が考案され実施されている。特に特開昭５２ー１５１４号に示されている懸垂式給油装置は、ホース処理装置を取り付けるキャノピを支柱で兼用して、安価に施工できて有効である。しかしこの懸垂式給油装置においても、対向して設けたＬ字状の支柱の先端及び隣り合う支柱間を板で接続して補強しているので、施工の費用が比較的掛かることになる。
【０００３】
【発明が解決しようとする課題】
そこで本発明は、安価な費用で施工でき、充分な強度が得られる懸垂式給油装置を提供することである。
【０００４】
【課題を解決するための手段】
上記目的を達成するために、本発明は、支柱上端に、帯状の基板のく字状に約４５度曲げられ、この部分に表示器が配置されている後端部側を取り付け、基板の先端部側にホース処理装置を配置し、表示器とホース処理装置との間には、下方の給油エリアを照らす照明が設けられ、敷地の両端部に植設された支柱間には補強ワイヤが張られ、基板の先端部側をこの補強ワイヤに接続し、前記ホース処理装置からは複数油種の給油ホースが昇降自在に吊下され、各給油ホースは支柱内に配設された給油管に接続されていることを要旨とするものである。
【０００５】
本発明によれば、前記補強ワイヤは敷地の両端部に植設された支柱間に張られているので、自動車の走行の邪魔になることがない。
【０００６】
また、前記基板の後端部は約４５度に折り曲げられ、この折り曲げられた部分に前記表示器が配置されているので、給油作業をしている給油員及び顧客にとって、見易い表示器となる。
【０００７】
さらに、前記ホース処理装置からは複数油種の給油ホースが昇降自在に吊下され、各給油ホースは支柱内に配設された給油管に接続されているので、燃料油の異なる各種の自動車に給油することができる。
【０００８】
【発明の実施の形態】
以下、本発明の給油装置の実施の形態を説明する。図１に示すように、給油所１の敷地は道路側２を除く３面が防火塀３、４、５により囲われ、奥側の防火塀４に沿って複数本の支柱６、６・・・が植設されている。各支柱６の上端には帯状の基板７が取り付けられ、この基板７には、後述するように表示器及びホース処理装置等が設けられている。そして両側の防火塀３、５の近傍には支柱８、９が植設され、この支柱８、９間には補強ワイヤ１０が張られ、基板７の先端部が補強ワイヤ１０に接続されている。このように基板７の先端は補強ワイヤ１０に接続されているので、強度が増し、強風や地震に対して耐えられる。また補強ワイヤだけであるので安価に施工できる。そして敷地の隅には、後述するポンプ及び流量計等を収納した機械室１１と、給油制御装置３５及びＰＯＳ３６などを設けた事務室１２が設けられている。
【０００９】
図２、３に示すように、基板７の後端部側は、「く」字状に約４５度曲げられ、この部分に表示器１５が配置されている。このように表示器１５は斜め下側を向いているので、給油をしている給油員及び顧客にとって見易い配置となっている。表示器１５には給油される油種を表示する油種表示部１６と、給油量表示部１７が設けられ、油種表示部１６には使用中を顕示するランプ１８が設けられている。
【００１０】
基板７の先端部側に設けられているホース処理装置２０には、この懸垂式給油装置で給油ができる油種、例えばレギュラーガソリン、ハイオクガソリン、軽油の給油ホース２１ａ、２１ｂ、２１ｃ（以下は２１で示す）が吊り下げられ、各給油ホース２１の先端には給油ノズル２２が取り付けられている。そしてホース処理装置２０内には、各給油ホース２１を巻回したリール２３と、このリール２３を回動するリールモータ２４と、リール２３の回動より給油ノズル２２の位置を検知する検知器２５が設けられている。また、給油ノズル２２の近傍には、昇降スイッチ２６が設けられ、この昇降スイッチ２６を作動する紐２７が下げられている。
【００１１】
また、表示器１５とホース処理装置２０との間には、下方の給油エリアを照らす照明２８が設けられている。
【００１２】
一方、機械室１１には、各油種のポンプ３０と流量計３１が設けられ、ポンプ３０の流入口は給油管３２により貯油タンク３３に接続されている。そして、流量計３１の流出口に接続された給油管３４は、支柱６内を通って基板７上に配設され、ホース処理装置２０内で給油ホース２１に接続されている。
【００１３】
そして、上述した各機器は、事務所１１内に設けられた給油制御装置３５及びＰＯＳ３６に接続されている。
【００１４】
次に本発明の懸垂式給油装置の動作を、図４のフローを参照にして説明する。ホース処理装置２０の下方の給油エリアに自動車が停車し、例えばレギュラーガソリンの紐２７を引いて昇降スイッチ２６が閉じ、その信号が給油制御装置３５に入力すると（ＳＴ１）、給油ノズル２２が上昇位置にあるので（ＳＴ２）、給油制御装置３５からの信号によりリールモータ２４が正転してリール２３より給油ホース２１が繰り出され、油種表示部１６のレギュラーガソリンのランプ１８が点灯する（ＳＴ３）。そして給油ノズル２２が下降位置まで降り、検知器２５が下降位置を検知すると（ＳＴ４）、リールモータ２４が停止して給油量表示部１７に表示されていた前回の給油量が帰零され、ポンプ３０が駆動されて給油可能状態となる（ＳＴ５）。
【００１５】
自動車の給油口へ給油ノズル２２を挿入して給油を開始すると、貯油タンク３３内の油は、給油管３２、ポンプ３０、流量計３１、給油管３４、給油ホース２１を通って給油ノズル２２より吐出される。そして、流量計３１で計られた給油量は、給油制御装置３５で計数され給油量表示部１７に表示される。
【００１６】
給油が終わり、再び紐２７を引いて昇降スイッチ２６を閉じると（ＳＴ１）、給油ノズル２２が上昇位置でないので（ＳＴ２）、リールモータ２４が逆転して給油ホース２１がリール２３に巻き取られる（ＳＴ６）。そして給油ノズル２２が上昇位置になり、検知器２５が上昇位置を検知すると（ＳＴ７）、リールモータ２４が停止して油種表示部１６のランプ１８が消灯して（ＳＴ８）、全ての給油操作が終わる。
【００１７】
【発明の効果】
以上説明したように本発明の懸垂式給油装置は、支柱に帯状の基板の後端部を取り付け、この基板の後端部側に表示器を配置し、基板の先端部側にホース処理装置を配置し、基板の先端部側を補強ワイヤに接続したので、安価な費用で施工でき、充分な強度が得られるものである。
【図面の簡単な説明】
【図１】  本発明の懸垂式給油装置を設けた給油所の平面図である。
【図２】  本発明の懸垂式給油装置を設けた給油所の側面図である。
【図３】  本発明の懸垂式給油装置の斜視図である。
【図４】  本発明の懸垂式給油装置の制御のフロー図である。
【符号の説明】
１  給油所
２  道路
３、４、５  防火塀
６、８、９  支柱
７  基板
１０  補強ワイヤ
１１  機械室
１２  事務所
１５  表示器
１６  油種表示部
１７  給油量表示部
１８  ランプ
２０  ホース処理装置
２１  給油ホース
２２  給油ノズル
２３  リール
２４  リールモータ
２５  検知器
２６  昇降スイッチ
２７  紐
２８  照明
３０  ポンプ
３１  流量計
３２、３４  給油管
３３  貯油タンク
３５  給油制御装置
３６  ＰＯＳ
【図１】
0003861369.tif 000002
【図３】
0003861369.tif 000003
【図２】
0003861369.tif 000004
【図４】
0003861369.tif 000005